(57)【要約】      （修正有）【課題】背側から胸側方向への胸部Ｘ線撮影を可能にする車椅子型の座位撮影台において、カセッテを支持するホルダを外すことなく、被検者が乗り降りできるようにすること、及び撮影する際に車椅子の把手が邪魔となったり、Ｘ線透過の妨げとなったりすることのない座位撮影台を提供すること。【解決手段】２つのサイドフレーム２及びボトムフレーム３で構成されるフレーム１と、サイドフレーム２の下部前方及び下部後方に回動自在に支持される大径の車輪４及び小径の車輪５と、２つのサイドフレーム２の間に前後位置を調整可能に保持される座面８と、座面８の後方に設置される背板１１と、背板１１の上部に後方へ折り曲げ可能に設けられる把手１５と、カセッテ１７と、カセッテ１７を保持するホルダ１８を備え、ホルダ１８は２つのサイドフレーム２の前方に開閉自在に支持されている座位撮影台。【選択図】図１
2018166686.tif 000002
【特許請求の範囲】
【請求項１】
フレーム、座面、車輪、カセッテ及び該カセッテを保持するホルダを備える車椅子型の座位撮影台において、
前記フレームは、前記座面の左右に配置され各々前記車輪を回動自在に支持する２つのサイドフレームを有し、
前記座面は、前記２つのサイドフレームの間に保持され、
前記ホルダは、前記２つのサイドフレームの前方に開閉自在に支持されている
ことを特徴とする座位撮影台。
【請求項２】
前記座面は、前記サイドフレームに対して前後位置が調整可能である
ことを特徴とする請求項１記載の座位撮影台。
【請求項３】
前記座面の後方に背板が設置され、該背板の上部に後方へ折り曲げ可能な把手が設けられている
ことを特徴とする請求項１又は２記載の座位撮影台。
【発明の詳細な説明】
【技術分野】
【０００１】
本発明は、他の椅子等に座りかえることなく、一般のＸ線撮影装置を利用して、座位のまま背側から胸側方向への胸部Ｘ線撮影を行うことのできる車椅子型の座位撮影台に関するものである。
【背景技術】
【０００２】
車椅子の前側にカセッテ（撮影用取枠）を支持するホルダ（支持枠）を取り付けられるようにし、他の椅子等に座りかえることなく、一般のＸ線撮影装置を利用して、座位のままＸ線撮影を行うことのできる車椅子型の座位撮影台が提案されている。
例えば、特許文献１（実公昭５６−５０５２３号公報）には、車椅子(1)の両側腕受部(2)に着脱自在に架設する支持枠(3)を設け、同支持枠(3)に撮影用取枠(4)の着脱装置(5)を設けてなるエックス線撮影用取枠装置が開示されている（特に、第１図及び実用新案登録請求の範囲（１）を参照）。
【０００３】
しかし、特許文献１に記載のエックス線撮影用取枠装置は、管状アダプター(9)を機枠(8)に固定し、このアダプター(9)に支持枠(3)の両端屈曲管(3’)を嵌合する等して、支持枠(3)を両側腕受部(2)等に着脱自在に架設することができるようにしている（特に、第１図及び第１頁左欄第３０〜３６行を参照）。
そのため、被検者がエックス線撮影用取枠装置に乗り降りする際には、支持枠(3)を両側腕受部(2)等から外し、撮影前に支持枠(3)を両側腕受部(2)等に架設する必要があった。
また、支持枠(3)と腰台(24)との前後位置が固定されていたため、被検者の体型に合わせて撮影用取枠(4)の前後位置を調整するのが難しかった。
さらに、車椅子(1)の把手(20)が撮影用取枠(4)の中央付近の高さまで延びているため、撮影する際に邪魔となったり、エックス線透過の妨げとなったりすることもあった。
そのため、医療現場において実際に汎用されることは現在までなかった。
【先行技術文献】
【特許文献】
【０００４】
【特許文献１】実公昭５６−５０５２３号公報
【発明の概要】
【発明が解決しようとする課題】
【０００５】
本発明は、背側から胸側方向への胸部Ｘ線撮影を可能にする車椅子型の座位撮影台において、カセッテを支持するホルダを外すことなく、被検者が乗り降りできるようにすることを第一の課題としてなされたものである。
また、本発明は、被検者の体型に合わせて座面の前後位置を容易に調整できるようにすることを第二の課題、車椅子の把手が撮影の邪魔となったり、Ｘ線透過の妨げとなったりすることのない座位撮影台を提供することを第三の課題としてなされたものである。
【課題を解決するための手段】
【０００６】
請求項１に係る発明は、フレーム、座面、車輪、カセッテ及び該カセッテを保持するホルダを備える車椅子型の座位撮影台において、
前記フレームは、前記座面の左右に配置され各々前記車輪を回動自在に支持する２つのサイドフレームを有し、
前記座面は、前記２つのサイドフレームの間に保持され、
前記ホルダは、前記２つのサイドフレームの前方に開閉自在に支持されていることを特徴とする。
【０００７】
請求項２に係る発明は、請求項１に記載の座位撮影台において、前記座面は前記サイドフレームに対して前後位置が調整可能であることを特徴とする。
【０００８】
請求項３に係る発明は、請求項１又は２に記載の座位撮影台において、前記座面の後方に背板が設置され、該背板の上部に後方へ折り曲げ可能な把手が設けられていることを特徴とする。
【発明の効果】
【０００９】
請求項１に係る発明の座位撮影台によれば、カセッテを保持するホルダが、２つのサイドフレームの前方に開閉自在に支持されているので、ホルダを外すことなく被検者が乗り降りできる。
【００１０】
請求項２に係る発明によれば、請求項１に係る発明の座位撮影台による効果に加え、座面はサイドフレームに対して前後位置が調整可能となっているので、被検者の体型に合わせてホルダと座面との間隔を容易に調整でき、太った被検者でも痩せた被検者でも適正なポジションでＸ線撮影を行うことができる。
【００１１】
請求項３に係る発明によれば、請求項１又は２に係る発明の座位撮影台による効果に加え、座面の後方に背板が設置され、背板の上部に後方へ折り曲げ可能な把手が設けられているので、把手が撮影の邪魔となったり、Ｘ線透過の妨げとなったりすることのない座位撮影台を提供することができる。
【図面の簡単な説明】
【００１２】
【図１】ホルダを開いた状態における実施例の座位撮影台の斜視図。
【図２】ホルダを開いた状態における実施例の座位撮影台の右側面図。
【図３】ホルダを閉じた状態における実施例の座位撮影台の斜視図。
【図４】ホルダを閉じた状態における実施例の座位撮影台の右側面図。
【発明を実施するための形態】
【００１３】
以下、実施例によって本発明の実施形態を説明する。
【実施例】
【００１４】
図１及び図２は、ホルダを開いた状態における実施例の座位撮影台の斜視図及び右側面図であり、図３及び図４は、ホルダを閉じた状態における実施例の座位撮影台の斜視図及び右側面図である。
図１〜４に示すように、実施例の座位撮影台は以下の構成を備えている。
（１）フレーム１（２つのサイドフレーム２、２つのサイドフレーム２の下部に渡される１つのボトムフレーム３で構成）。
（２）サイドフレーム２の下部前方に回動自在に支持される大径の車輪４及びサイドフレーム２の下部後方に回動自在に支持される小径の車輪５。
（３）２つのサイドフレーム２の外側に設置され、大径の車輪４に接離可能なブレーキ体６及び上端を後方に引くとブレーキ体６が大径の車輪４に接し、逆に上端を前方に押すとブレーキ体６が大径の車輪４から離れるように操作可能なブレーキレバー７。
【００１５】
（４）２つのサイドフレーム２の間に前後位置が調整可能に保持される座面８。
なお、サイドフレーム２に対する前後位置を調整可能とするため、サイドフレーム２の上辺近傍には水平な長穴９が前後方向に２つ設けてあり、長穴９の適当な位置で座面８の側面に設けてあるネジ穴（図示せず）にサイドフレーム２の外側からノブナット付ボルト１０をねじ込むことによって、座面８が２つのサイドフレーム２の間に保持固定されるようになっている。
（５）座面８の後方に設置されている背板１１。
なお、背板１１の中央部はＸ線透過材料で構成され、背板１１の左右は背板パイプ１２となっている。そして、背板パイプ１２は座面８の後面に固定されている。
（６）背板パイプ１２の上端部から前方に向かって延びている肘掛部１３。
（７）背板パイプ１２の上端に背折れ金具１４を介して取り付けられているＬ字状の把手１５。
なお、２つの把手１５の間にはＸ線透過材料からなる背もたれ部１６が設けてある。
そして、背折れ金具１４の背折れ操作レバーを上方に操作した状態（図２の状態）では、背折れ金具１４が背板パイプ１２に固定されるので、把手１５も固定され被検者の介助者等により座位撮影台を後ろから操縦できる。
また、背折れ操作レバーを下方に操作した状態（図４の状態）では、背折れ金具１４が背板パイプ１２の後方に回転可能となるので、把手１５も背板パイプ１２の後方へ折り曲げられ、Ｘ線撮影の邪魔にならない箇所に位置させることができる。
【００１６】
（８）Ｘ線照射部（図示せず）から発せられ被検者の体を通過したＸ線を受像するカセッテ１７とカセッテ１７を保持するホルダ１８。
なお、ホルダ１８は、パイプ状の２本の支柱部１９と、２本の支柱部１９の上端をつなぐ連結部２０と、２本の支柱部１９に沿って上下方向にスライド可能なカセッテ支持体２１を有しており、カセッテ支持体２１の中央部には前方へ突出し上方に屈曲している２本の把持部２２が設けてある。
そして、カセッテ１７をホルダ１８に対して固定する時には、把持部２２を持ってカセッテ支持体２１を上下にスライドさせて位置決めした後、カセッテ支持体２１の左右に設けてあるノブナット付ボルト２３をねじ込んで、カセッテ支持体２１を支柱部１９に固定すれば良い。
（９）図１及び図３において左側となっているサイドフレーム２の前方の内側に取り付けられている下部支柱ホルダ２４及び上部支柱ホルダ２５。
なお、下部支柱ホルダ２４は上部に開口を有し底のある直方体形状、上部支柱ホルダ２５は上部及び下部に開口を有し底のない直方体形状となっており、支柱部１９の一方を上部支柱ホルダ２５に差し込むとともに、下部支柱ホルダ２４で下端を受け止めて、ホルダ１８を回動自在に保持できるようになっている。
また、上部支柱ホルダ２５には抜け止め用のネジ２６が設けられ、支柱部１９を下部支柱ホルダ２４及び上部支柱ホルダ２５にセットした後、ネジ２６を緩くねじ込むことによって、支柱部１９の一部に設けてある小径部２７にネジ２６の先端を位置させ、ホルダ１８の下部支柱ホルダ２４及び上部支柱ホルダ２５からの抜けを防止できる。
（１０）図１及び図３において右側となっているサイドフレーム２の前方の内側に取り付けられている受け側下部支柱ホルダ（図示せず）及び受け側上部支柱ホルダ２８。
なお、受け側下部支柱ホルダは、前部及び上部に開口を有し底のある直方体形状、受け側上部支柱ホルダ２８は上部及び下部に開口を有し前部に開閉可能な扉２９を有する直方体形状となっており、ホルダ１８を閉じる方向に回動させ、支柱部１９の他方を受け側下部支柱ホルダ及び受け側上部支柱ホルダ２８に前方側から挿入できるようになっている。
また、支柱部１９の他方を挿入した後に扉２９を閉じて固定すれば、ホルダ１８を閉じた状態に保つことができる。
【００１７】
実施例の座位撮影台は、上記のような構成となっているので、以下のような手順により被検者を座面８に座らせた状態でＸ線撮影を行うことができる。
（１）被検者の体格に合わせて座面８の前後位置を調整する。
（２）ホルダ１８を開いた状態（図１、２の状態）とし、被検者を座面８の上に座らせる。
（３）ホルダ１８を閉じて支柱部１９の他方を受け側下部支柱ホルダ及び受け側上部支柱ホルダ２８に前方側から挿入する。
（４）受け側上部支柱ホルダ２８の扉２９を閉めて支柱部１９の他方を固定し、ホルダ１８を閉じた状態とする。
【００１８】
（５）Ｘ線照射部とカセッテ１７の位置関係が適正となるように座位撮影台を移動させ、両側のブレーキレバー７の上端を後方に引いてブレーキをかける。
（６）背折れ操作レバーを下方に操作し、把手１５及び背もたれ部１６を背板１１の後方へ折り曲げる（図３、４の状態）。
（７）カセッテ１７の上下位置を調整し、被検者の位置と姿勢がカセッテ１７に対して適正なポジションとなるようにする。
（８）被検者に息を吸って止めるよう指示した後、Ｘ線照射部を作動させ透過したＸ線をカセッテ１７で受像する。
【００１９】
実施例の変形例を列記する。
（１）実施例においては、フレーム１は、２つのサイドフレーム２と、２つのサイドフレーム２の下部に渡されるボトムフレーム３を有していたが、２つのサイドフレーム２と座面４とで車椅子状の構造体を形成できれば、ボトムフレーム３は不要である。
また、サイドフレーム２及びボトムフレーム３ともに板状のフレームとしたが、いずれ
も複数のパイプで構成されたパイプ状のフレームとしても良い。
（２）実施例の説明では、図１及び図３において左側となっているサイドフレーム２の前方の内側に下部支柱ホルダ２４及び上部支柱ホルダ２５を取り付け、右側となっているサイドフレーム２の前方の内側に受け側下部支柱ホルダ及び受け側上部支柱ホルダ２８を取り付けて、座位撮影台に向かって右側から被検者を座面８に座らせるようになっていた。
しかし、逆に図１及び図３において右側となっているサイドフレーム２の前方の内側に下部支柱ホルダ２４及び上部支柱ホルダ２５を取り付け、左側となっているサイドフレーム２の前方の内側に受け側下部支柱ホルダ及び受け側上部支柱ホルダ２８を取り付けて、座位撮影台に向かって左側から被検者を座面８に座らせられるようにしても良い。
そのためには、２つの支柱部１９の両方に小径部２７を設けておいた方が良い。
【００２０】
（３）実施例においては、座面８の前後位置を調整可能とするため、サイドフレーム２の上辺近傍に水平な長穴９を前後方向に２つ設けたが、調整可能でなくても良い。
また、座面８の前後位置だけでなく高さも調整できるようにしても良い。例えば、水平な長穴９を前後方向に２つ以上、上下方向に２つ以上設けることが考えられる。
そうした場合、座面８の高さを調整できるだけでなく、座面８の上面の傾きも調整可能となり、さらに、座面８の側面に３つ以上のネジ穴を設けることで、上面の傾きを細かく調整することができるようになる。
（４）実施例においては、座面８の後方に背板１１が設置され、背板パイプ１２の上端部から肘掛部１３が前方に延び、背板パイプ１２の上端に背折れ金具１４を介してＬ字状の把手１５が取り付けられていたが、背板１１、背板パイプ１２、肘掛部１３、背折れ金具１４及びＬ字状の把手１５は設けなくても良い。
また、背板１１のみ又は背板パイプ１２と肘掛部１３のみを設けても良い。
さらに、背板１１、背板パイプ１２、Ｌ字状の把手１５及び背もたれ部１６を一体化し、フレーム１又は座面８に対して着脱自在に固定できるようにしても良い。
（５）実施例においては、背板１１や背もたれ部１６をＸ線透過材料としたが、背板１１及び背板パイプ１２を低いものとしてＸ線照射範囲にかからないようにすれば、背板１１や背もたれ部１６はＸ線透過材料としなくても良い。
また、上記変形例（４）で背板１１、背板パイプ１２、Ｌ字状の把手１５及び背もたれ部１６を一体化し、フレーム１又は座面８に対して着脱自在に固定できるようにした場合、背板１１や背もたれ部１６はＸ線透過材料としなくても良い。
【符号の説明】
【００２１】
１  フレーム      ２  サイドフレーム      ３  ボトムフレーム
４  大径の車輪      ５  小径の車輪      ６  ブレーキ体
７  ブレーキレバー      ８  座面      ９  長穴
１０  ノブナット付ボルト      １１  背板      １２  背板パイプ
１３  肘掛部      １４  背折れ金具      １５  把手
１６  背もたれ部      １７  カセッテ      １８  ホルダ
１９  支柱部      ２０  連結部      ２１  カセッテ支持体
２２  把持部      ２３  ノブナット付ボルト      ２４  下部支柱ホルダ
２５  上部支柱ホルダ      ２６  抜け止め用のネジ      ２７  小径部
２８  受け側上部支柱ホルダ      ２９  扉
【図１】
2018166686.tif 000003
【図２】
2018166686.tif 000004
【図３】
2018166686.tif 000005
【図４】
2018166686.tif 000006